【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
主鎖に芳香環を有する生物由来化合物あるいはこの誘導体からなり、所定の条件で液晶性を示し、生体適合性を有することを特徴とするバイオ液晶ポリマー。
【請求項２】
前記主鎖に芳香環を有する生物由来化合物あるいはこの誘導体は、所定の条件で溶解性を有することを特徴とする請求項１記載のバイオ液晶ポリマー。
【請求項３】
前記所定の条件は、所定の温度条件であることを特徴とする請求項１または２記載のバイオ液晶ポリマー。
【請求項４】
ポリ４−ヒドロキシ桂皮酸あるいはポリリトコール酸からなり、生体適合性を有することを特徴とするバイオ液晶ポリマー。
【請求項５】
反応性官能基を２つ以上有し重合性を持つ主鎖に芳香環を有する生物由来化合物あるいはこの誘導体の１種からなるホモポリマーまたは２種以上からなる共重合体により構成されることを特徴とするバイオ液晶ポリマー。
【請求項６】
反応性官能基を２つ以上有し重合性を持つ芳香環、脂環、２重結合、３重結合の少なくとも１つの剛直な構造部位を主鎖に有した生物由来化合物あるいはこの誘導体からなるホモポリマーによって構成されることを特徴とするバイオ液晶ポリマー。
【請求項７】
前記ホモポリマーは、クロロゲン酸類から選択される１種の主鎖に芳香環を有する生物由来化合物からなることを特徴とする請求項５または６のいずれか１項記載のバイオ液晶ポリマー。
【請求項８】
前記共重合体は、クロロゲン酸類から選択される２種の主鎖に芳香環を有する生物由来化合物からなることを特徴とする請求項５記載のバイオ液晶ポリマー。
【請求項９】
前記共重合体は、４−ヒドロキシ桂皮酸と、前記４−ヒドロキシ桂皮酸を除くクロロゲン酸類から選択される１種の主鎖に芳香環を有する生物由来化合物とからなることを特徴とする請求項５記載のバイオ液晶ポリマー。
【請求項１０】
反応性官能基を２つ以上有し重合性を持つ芳香環、脂環、２重結合、３重結合の少なくとも１つの剛直な構造部位を主鎖に有した生物由来化合物あるいはこの誘導体からなる共重合体によって構成されることを特徴とするバイオ液晶ポリマー。
【請求項１１】
４−ヒドロキシ桂皮酸と、反応性官能基を２つ以上有し重合性を持つ芳香環、脂環、２重結合、３重結合の少なくとも１つの剛直な構造部位を主鎖に含む生物由来化合物あるいはこの誘導体の少なくとも１種とからなる共重合体によって構成されることを特徴とするバイオ液晶ポリマー。
【請求項１２】
４−ヒドロキシ桂皮酸と、反応性官能基を２つ以上有し重合性を持ち剛直な構造部位を含むアミノ酸、糖類、テルペン類、フラボノイド類、ステロイド類から選択される主鎖に芳香環を有する生物由来化合物の少なくとも１種とからなる共重合体によって構成されることを特徴とするバイオ液晶ポリマー。
【請求項１３】
４−ヒドロキシ桂皮酸とリトコール酸との共重合体からなることを特徴とするバイオ液晶ポリマー。
【請求項１４】
前記リトコール酸を、０を越え７０ｍｏｌ％以下含有することを特徴とする請求項１３記載のバイオ液晶ポリマー。
【請求項１５】
前記リトコール酸を、０を越え３０ｍｏｌ％以下含有することを特徴とする請求項１３記載のバイオ液晶ポリマー。
【請求項１６】
反応性官能基を２つ以上有し重合性を持つ主鎖に芳香環を有する生物由来化合物あるいはこの誘導体の１種からなるホモポリマーまたは前記主鎖に芳香環を有する生物由来化合物の２種以上からなる共重合体により構成され、繊維状に形成されたことを特徴とするバイオ液晶ポリマー。
【請求項１７】
４−ヒドロキシ桂皮酸とリトコール酸との共重合体、ポリ４−ヒドロキシ桂皮酸またはポリリトコール酸からなることを特徴とする成形体。
【請求項１８】
４−ヒドロキシ桂皮酸とリトコール酸との共重合体、ポリ４−ヒドロキシ桂皮酸またはポリリトコール酸からなり、生体適合部品に適用されることを特徴とする成形体。
【請求項１９】
４−ヒドロキシ桂皮酸とリトコール酸との共重合体、ポリ４−ヒドロキシ桂皮酸またはポリリトコール酸からなり、耐熱性または機械的強度が要求される部品、あるいは耐熱性および機械的強度が要求される部品に適用されることを特徴とする成形体。
【請求項２０】
４−ヒドロキシ桂皮酸とカフェー酸との共重合体またはポリ４−ヒドロキシ桂皮酸からなり、耐熱性または機械的強度が要求される部品、あるいは耐熱性および機械的強度が要求される部品に適用されることを特徴とする成形体。
【請求項２１】
４−ヒドロキシ桂皮酸とリトコール酸との共重合体、あるいはポリ４−ヒドロキシ桂皮酸からなり、光照射あるいは熱照射によって光学的特性が変化する性質を利用した光学部品に適用されることを特徴とする成形体。
【手続補正２】
【補正対象書類名】明細書
【補正対象項目名】０００８
【補正方法】変更
【補正の内容】
【０００８】
本発明は、上記目的を達成するため、主鎖に芳香環を有する生物由来化合物あるいはこの誘導体からなり、所定の条件で液晶性を示し、生体適合性を有することを特徴とするバイオ液晶ポリマーを提供する。
【手続補正３】
【補正対象書類名】明細書
【補正対象項目名】００１０
【補正方法】変更
【補正の内容】
【００１０】
前記主鎖に芳香環を有する生物由来化合物あるいはこの誘導体は、所定の条件で溶解性を有することが好ましい。
【手続補正４】
【補正対象書類名】明細書
【補正対象項目名】００１３
【補正方法】変更
【補正の内容】
【００１３】
本発明は、前記目的を達成するため、反応性官能基を２つ以上有し重合性を持つ主鎖に芳香環を有する生物由来化合物あるいはこの誘導体の１種からなるホモポリマーまたは２種以上からなる共重合体により構成されることを特徴とするバイオ液晶ポリマーを提供する。
【手続補正５】
【補正対象書類名】明細書
【補正対象項目名】００１４
【補正方法】変更
【補正の内容】
【００１４】
本発明は、前記目的を達成するため、反応性官能基を２つ以上有し重合性を持つ芳香環、脂環、２重結合、３重結合の少なくとも１つの剛直な構造部位を主鎖に有した生物由来化合物あるいはこの誘導体からなるホモポリマーによって構成されることを特徴とするバイオ液晶ポリマーを提供する。
【手続補正６】
【補正対象書類名】明細書
【補正対象項目名】００１６
【補正方法】変更
【補正の内容】
【００１６】
前記ホモポリマーは、クロロゲン酸類から選択される１種の主鎖に芳香環を有する生物由来化合物からなることが好ましい。
【手続補正７】
【補正対象書類名】明細書
【補正対象項目名】００１７
【補正方法】変更
【補正の内容】
【００１７】
前記共重合体は、クロロゲン酸類から選択される２種の主鎖に芳香環を有する生物由来化合物からなることが好ましい。
【手続補正８】
【補正対象書類名】明細書
【補正対象項目名】００１８
【補正方法】変更
【補正の内容】
【００１８】
前記共重合体は、４−ヒドロキシ桂皮酸と、前記４−ヒドロキシ桂皮酸を除くクロロゲン酸類から選択される１種の主鎖に芳香環を有する生物由来化合物とからなることが好ましい。
【手続補正９】
【補正対象書類名】明細書
【補正対象項目名】００１９
【補正方法】変更
【補正の内容】
【００１９】
本発明は、前記目的を達成するため、反応性官能基を２つ以上有し重合性を持つ芳香環、脂環、２重結合、３重結合の少なくとも１つの剛直な構造部位を主鎖に有した生物由来化合物あるいはこの誘導体からなる共重合体によって構成されることを特徴とするバイオ液晶ポリマーを提供する。
【手続補正１０】
【補正対象書類名】明細書
【補正対象項目名】００２０
【補正方法】変更
【補正の内容】
【００２０】
本発明は、前記目的を達成するため、４−ヒドロキシ桂皮酸と、反応性官能基を２つ以上有し重合性を持つ芳香環、脂環、２重結合、３重結合の少なくとも１つの剛直な構造部位を主鎖に含む生物由来化合物あるいはこの誘導体の少なくとも１種とからなる共重合体によって構成されることを特徴とするバイオ液晶ポリマーを提供する。
【手続補正１１】
【補正対象書類名】明細書
【補正対象項目名】００２１
【補正方法】変更
【補正の内容】
【００２１】
本発明は、前記目的を達成するため、４−ヒドロキシ桂皮酸と、反応性官能基を２つ以上有し重合性を持ち剛直な構造部位を含むアミノ酸、糖類、テルペン類、フラボノイド類、ステロイド類から選択される主鎖に芳香環を有する生物由来化合物の少なくとも１種とからなる共重合体によって構成されることを特徴とするバイオ液晶ポリマーを提供する。
【手続補正１２】
【補正対象書類名】明細書
【補正対象項目名】００２５
【補正方法】変更
【補正の内容】
【００２５】
本発明は、前記目的を達成するため、反応性官能基を２つ以上有し重合性を持つ主鎖に芳香環を有する生物由来化合物あるいはこの誘導体の１種からなるホモポリマーまたは前記主鎖に芳香環を有する生物由来化合物の２種以上からなる共重合体により構成され、繊維状に形成されたことを特徴とするバイオ液晶ポリマーを提供する。